(57)【要約】  ポンプ装置１は、中心軸Ｊに沿って配置されたシャフト４１を有するモータ部２０と、モータ部２０の軸方向一方側に位置し、モータ部２０によってシャフト４１を介して駆動されてオイルを吐出するポンプ部３０と、ポンプ部３０を駆動するインバータ回路６５とを有する。モータ部２０は、ロータ１１及びステータ５０を収容するハウジング２１を有する。ポンプ部３０は、シャフト４１に取り付けられるポンプロータ３５と、ポンプロータ３５を収容するポンプボディ３１と、ポンプボディ３１の軸方向一方側の開口部を塞ぐポンプカバー３２と、を有する。ポンプカバー３２は、ポンプカバー３２の径方向外側縁部からハウジング２１の側壁２１ｂの外側に延びるカバー延長部３２ｃを有する。ポンプカバー３２はインバータ回路６５と熱的に接触して設けられる。
2018159472.tif 000002
【特許請求の範囲】
【請求項１】
軸方向に延びる中心軸に沿って配置されたシャフトを有するモータ部と、
前記モータ部の軸方向一方側に位置し、前記モータ部によって前記シャフトを介して駆動されてオイルを吐出するポンプ部と、
前記ポンプ部を駆動するためのインバータ回路と、
を有するポンプ装置であって、
前記モータ部は、ロータ及びステータを収容するハウジングを有し、
前記ポンプ部は、
前記シャフトに取り付けられるポンプロータと、
前記ポンプロータを収容するポンプボディと、
前記ポンプボディの軸方向一方側に開口する開口部を塞ぐポンプカバーと、を有し、
前記ポンプカバーは、
前記ポンプカバーの径方向外側縁部から前記ハウジングの側壁の外側に延びるカバー延長部、を有し、
前記ポンプカバーは、前記インバータ回路と熱的に接触して設けられる
ポンプ装置。
【請求項２】
前記カバー延長部は、前記ポンプカバーの前記径方向外側縁部から前記ハウジングの前記側壁に沿って前記モータ部の軸方向他方側へ延びる
請求項１に記載のポンプ装置。
【請求項３】
軸方向に延びる中心軸を中心として回転可能に支持されたシャフトを有するモータ部と、
前記モータ部の軸方向一方側に位置し、前記モータ部によって前記シャフトを介して駆動されてオイルを吐出するポンプ部と、
前記ポンプ部を駆動するためのインバータ回路と、
を有するポンプ装置であって、
前記モータ部は、ロータ及びステータを収容するハウジングを有し、
前記ポンプ部は、
前記シャフトに取り付けられるポンプロータと、
前記ポンプロータを収容するポンプボディと、
前記ポンプロータの軸方向一方側に開口する開口部を塞ぐポンプカバーと、を有し、
前記ポンプボディは、
前記ポンプボディの径方向外側縁部から前記ハウジングの側壁の外側に延びるボディ延長部、を有し、
前記ポンプボディは、前記インバータ回路と熱的に接触して設けられる
ポンプ装置。
【請求項４】
前記ボディ延長部は、前記ポンプボディの前記径方向外側縁部から前記ハウジングの前記側壁に沿って前記モータ部の軸方向他方側へ延びる
請求項３に記載のポンプ装置。
【請求項５】
前記インバータ回路は、前記カバー延長部に熱的に接触して設けられる
請求項１に記載のポンプ装置。
【請求項６】
前記インバータ回路は、前記ボディ延長部に熱的に接触して設けられる
請求項３に記載のポンプ装置。
【請求項７】
前記カバー延長部は、前記ハウジング及び前記ステータと軸方向に重なる領域を有する
請求項１に記載のポンプ装置。
【請求項８】
前記ボディ延長部は、前記ハウジング及び前記ステータと軸方向に重なる領域を有する
請求項３に記載のポンプ装置。
【請求項９】
前記インバータ回路は、絶縁性の放熱部材を介して、前記ポンプカバーに接触して設けられる
請求項１に記載のポンプ装置。
【請求項１０】
前記インバータ回路は、絶縁性の放熱部材を介して、前記ポンプボディに接触して設けられる
請求項３に記載のポンプ装置。
【請求項１１】
前記ポンプ部は、前記ポンプ部内を前記オイルが流れるポンプ流路を有し、
前記モータ部は、前記ポンプ部内を流れる前記オイルを前記モータ部内に導入する冷却流路を有し、
前記インバータ回路は、前記カバー延長部と前記ポンプ流路に対して前記モータ部の軸方向において重なる領域に配置される
請求項１に記載のポンプ装置。
【請求項１２】
前記ポンプ部は、前記ポンプ部内を前記オイルが流れるポンプ流路を有し、
前記モータ部は、前記ポンプ部内を流れる前記オイルを前記モータ部内に導入する冷却流路を有し、
前記インバータ回路は、前記カバー延長部と前記冷却流路に対して前記モータ部の軸方向において重なる領域に配置される
請求項１に記載のポンプ装置。
【請求項１３】
前記ポンプ部は、前記ポンプ部内を前記オイルが流れるポンプ流路を有し、
前記モータ部は、前記ポンプ部内を流れる前記オイルを前記モータ部内に導入する冷却流路を有し、
前記インバータ回路は、前記カバー延長部と前記ポンプ流路と前記冷却流路に対して前記モータ部の軸方向において重なる領域に配置される
請求項１に記載のポンプ装置。
【請求項１４】
前記ポンプ部は、前記ポンプ部内を前記オイルが流れるポンプ流路を有し、
前記モータ部は、前記ポンプ部内を流れる前記オイルを前記モータ部内に導入して前記オイルによって前記モータ部を冷却可能な冷却流路を有し、
前記インバータ回路は、前記ボディ延長部と前記ポンプ流路に対して前記モータ部の軸方向において重なる領域に配置される
請求項３に記載のポンプ装置。
【請求項１５】
前記ポンプ部は、前記ポンプ部内を前記オイルが流れるポンプ流路を有し、
前記モータ部は、前記ポンプ部内を流れる前記オイルを前記モータ部内に導入して前記オイルによって前記モータ部を冷却可能な冷却流路を有し、
前記インバータ回路は、前記ボディ延長部と前記冷却流路に対して前記モータ部の軸方向において重なる領域に配置される
請求項３に記載のポンプ装置。
【請求項１６】
前記ポンプ部は、前記ポンプ部内を前記オイルが流れるポンプ流路を有し、
前記モータ部は、前記ポンプ部内を流れる前記オイルを前記モータ部内に導入して前記オイルによって前記モータ部を冷却可能な冷却流路を有し、
前記インバータ回路は、前記ボディ延長部と前記ポンプ流路と前記冷却流路に対して前記モータ部の軸方向において重なる領域に配置される
請求項３に記載のポンプ装置。
【請求項１７】
前記ポンプ部は、
前記シャフトを通す貫通孔を有して前記モータ部に対向して配置された前記ポンプボディと、
前記オイルを前記モータ部内に送出するポンプ側送出口と、
前記オイルを前記ポンプ側送出口より前記ポンプ部の加圧によって前記モータ部内へ送出する第１流路と、を有し、
前記第１流路は、前記貫通孔に通された前記シャフトと前記貫通孔との間の隙間を通る
請求項１１から１６のいずれか１項に記載のポンプ装置。
【請求項１８】
前記モータ部は、
前記モータ部に設けられるモータ側吐出口と、
前記モータ部内の前記オイルを前記モータ側吐出口より吐出する第２流路と、
前記ハウジングの軸方向他方側端部に保持され、前記シャフトを回転可能に支持する軸受部材と、を有し、
前記第２流路は、前記シャフトと前記軸受部材との間の隙間を通る
請求項１１から１７のいずれか１項に記載のポンプ装置。
【請求項１９】
前記インバータ回路は、発熱素子を有し、
前記発熱素子は、前記カバー延長部と前記ポンプ流路に対して前記モータ部の軸方向において重なる領域に配置される
請求項１１に記載のポンプ装置。
【請求項２０】
前記インバータ回路は、発熱素子を有し、
前記発熱素子は、前記カバー延長部と前記冷却流路に対して前記モータ部の軸方向において重なる領域に配置される
請求項１２に記載のポンプ装置。
【請求項２１】
前記インバータ回路は、発熱素子を有し、
前記発熱素子は、前記ボディ延長部と前記ポンプ流路に対して前記モータ部の軸方向において重なる領域に配置される
請求項１４に記載のポンプ装置。
【請求項２２】
前記インバータ回路は、発熱素子を有し、
前記発熱素子と、前記ボディ延長部と前記冷却流路に対して前記モータ部の軸方向において重なる領域に配置される
請求項１５に記載のポンプ装置。
【発明の詳細な説明】
【技術分野】
【０００１】
本発明は、ポンプ装置に関する。
【背景技術】
【０００２】
近年、トランスミッション等に使用する電動オイルポンプは、応答性が求められる。電動オイルポンプの応答性を実現するためには、電動オイルポンプ用のモータを高出力にする必要がある。
電動オイルポンプ用のモータを高出力にした場合、モータを駆動するためのインバータも高出力に耐えられる設計にする必要がある。つまり、大電流に耐えられる電子部品を使用したインバータが必要である。インバータに大電流が流れると、電子部品が発熱し、インバータの温度が上昇する虞がある。このため、インバータの温度上昇を抑えるため、電動オイルポンプに温度上昇抑制構造を設ける必要がある。【０００３】
特許文献１には、シャフトの一端側にモータロータを固定してモータケース内に収容し、他端側に入力側歯車を固定してモータケースを塞ぐモータフランジ内に入力側歯車を収容した電動ポンプユニットが開示されている。
【先行技術文献】
【特許文献】
【０００４】
【特許文献１】特開２００５−２２９６５８号公報
【発明の概要】
【発明が解決しようとする課題】
【０００５】
特許文献１に記載の電動ポンプユニットは、モータの下方にモータケース及び筐体を有し、この筐体内にコントローラとなるインバータ回路（回路基板）が収容される。このため、インバータ回路はモータの下方に位置するので、モータからの熱の影響を受けにくい。しかしながら、筐体にはインバータ回路に実装された電子部品から発生する熱を逃がすための手段が無い。このため、筐体内に熱がこもり、インバータ回路の温度が上昇する虞がある。【０００６】
本発明の目的は、電子部品から発生する熱によってインバータ回路が温度上昇する虞を抑制可能なポンプ装置を提供することである。
【課題を解決するための手段】
【０００７】
本願の例示的な第１発明は、軸方向に延びる中心軸を中心として回転可能に支持されたシャフトを有するモータ部と、前記モータ部の軸方向一方側に位置し、前記モータ部によって前記シャフトを介して駆動されてオイルを吐出するポンプ部と、前記ポンプ部を駆動するためのインバータ回路と、有するポンプ装置である。前記モータ部は、ロータ及びステータを収容するハウジングを有する。前記ポンプ部は、前記シャフトに取り付けられるポンプロータと、前記ポンプロータを収容するポンプボディと、前記ポンプボディの軸方向一方側に開口する開口部を塞ぐポンプカバーと、を有する。前記ポンプカバーは、前記ポンプカバーの径方向外側縁部から前記ハウジングの側壁の外側に延びるカバー延長部、を有する。前記ポンプカバーは、前記インバータ回路と熱的に接触して設けられる。
【発明の効果】
【０００８】
本願の例示的な第１発明によれば、電子部品から発生する熱によってインバータ回路が温度上昇する虞を抑制可能なポンプ装置を提供できる。
【図面の簡単な説明】
【０００９】
【図１】第１実施形態に係るポンプ装置の断面図である。
【図２】第１実施形態に係るポンプ装置のフロント側の側面図である。
【図３】第１実施形態の変形例に係るポンプ装置の断面図である。
【図４】第２実施形態に係るポンプ装置の断面図である。
【図５】第２実施形態の変形例に係るポンプ装置の断面図である。
【図６】第３実施形態に係るポンプ装置の断面図である。
【図７】第４実施形態に係るポンプ装置の断面図である。
【図８】第３実施形態の変形例に係るポンプ装置の断面図である。
【図９】第４実施形態の変形例に係るポンプ装置の断面図である。
【発明を実施するための形態】
【００１０】
以下、図面を参照しながら、本発明の実施形態に係るポンプ装置について説明する。ただし、実施形態として記載され又は図面に示されている構成部品の寸法、材質、形状、その相対的配置等は、本発明の範囲を前述した内容に限定する趣旨ではなく、単なる説明例にすぎない。例えば、「ある方向に」、「ある方向に沿って」、「平行」、「直交」、「中心」、「同心」或いは「同軸」等の相対的或いは一義的な配置を表す表現は、厳密にそのような配置を表すのみならず、公差、若しくは、同じ機能が得られる程度の角度及び距離をもって相対的に変位している状態も表すものとする。例えば、「同一」、「等しい」及び「均質」等の物事が等しい状態であることを表す表現は、厳密に等しい状態を表すのみならず、公差、若しくは、同じ機能が得られる程度の差が存在している状態も表すものとする。例えば、四角形状及び円筒形状等の形状を表す表現は、幾何学的に厳密な意味での四角形状及び円筒形状等の形状を表すのみならず、同じ効果が得られる範囲で、凹凸部及び面取り部等を含む形状も表すものとする。一方、一の構成要素を「備える」、「具える」、「具備する」、「含む」、又は、「有する」という表現は、他の構成要素の存在を除外する排他的な表現ではない。
【００１１】
また、図面においては、適宜３次元直交座標系としてＸＹＺ座標系を示す。ＸＹＺ座標系において、Ｚ軸方向は、図１に示す中心軸Ｊの軸方向一方向と平行な方向とする。Ｘ軸方向は、図１に示すポンプ装置の短手方向と平行な方向、すなわち、図１の上下方向とする。Ｙ軸方向は、Ｘ軸方向とＺ軸方向との両方と直交する方向とする。
【００１２】
また、以下の説明においては、Ｚ軸方向の正の側（＋Ｚ側）を「フロント側」と記し、Ｚ軸方向の負の側（−Ｚ側）を「リア側」と記す。なお、リア側及びフロント側とは、単に説明のために用いられる名称であって、実際の位置関係や方向を限定しない。また、特に断りのない限り、中心軸Ｊに平行な方向（Ｚ軸方向）を単に「軸方向」と記し、中心軸Ｊを中心とする径方向を単に「径方向」と記し、中心軸Ｊを中心とする周方向、すなわち、中心軸Ｊの軸周り（θ方向）を単に「周方向」と記す。
【００１３】
なお、本明細書において、軸方向に延びる、とは、厳密に軸方向（Ｚ軸方向）に延びる場合に加えて、軸方向に対して、４５°未満の範囲で傾いた方向に延びる場合も含む。また、本明細書において、径方向に延びる、とは、厳密に径方向、すなわち、軸方向（Ｚ軸方向）に対して垂直な方向に延びる場合に加えて、径方向に対して、４５°未満の範囲で傾いた方向に延びる場合も含む。
【００１４】
[第１実施形態]
図１は、第１実施形態に係るポンプ装置の断面図である。図２は、第１実施形態に係るポンプ装置の側面図である。
【００１５】
第１実施形態のポンプ装置１は、図１に示すように、モータ部２０と、ポンプ部３０と、インバータ回路６５と、を有する。モータ部２０は、軸方向に延びる中心軸Ｊに沿って配置されたシャフト４１を有する。ポンプ部３０は、モータ部２０の軸方向一方側に位置し、モータ部２０によってシャフト４１を介して駆動され、オイルを吐出する。つまり、モータ部２０とポンプ部３０とは、軸方向に沿って並んで設けられる。以下、構成部材毎に詳細に説明する。
【００１６】
＜モータ部２０＞
モータ部２０は、図１に示すように、ハウジング２１と、ロータ４０と、シャフト４１と、ステータ５０と、ベアリング５５と、を有する。
【００１７】
モータ部２０は、例えば、インナーロータ型のモータであり、ロータ４０がシャフト４１の外周面に固定され、ステータ５０がロータ４０の径方向外側に位置する。また、ベアリング５５は、シャフト４１の軸方向リア側（−Ｚ側）端部に配置され、シャフト４１を回転可能に支持する。
【００１８】
（ハウジング２１）
ハウジング２１は、図１に示すように、有底の薄肉円筒状であり、底面部２１ａと、ステータ保持部２１ｂと、ポンプボディ保持部２１ｃと、側壁部２１ｄと、フランジ部２４，２５と、を有する。底面部２１ａは、有底部分をなし、ステータ保持部２１ｂ、ポンプボディ保持部２１ｃ及び側壁部２１ｄは、中心軸Ｊを中心とする円筒形状の側壁面をなす。本実施形態においては、ステータ保持部２１ｂの内径は、ポンプボディ保持部２１ｃの内径よりも大きい。ステータ保持部２１ｂの内側面には、ステータ５０の外側面、すなわち、後述するコアバック部５１の外側面が嵌め合わされる。これにより、ハウジング２１にステータ５０が収容される。
【００１９】
フランジ部２４は、側壁部２１ｄのフロント側（＋Ｚ側）の端部から径方向外側に拡がる。一方、フランジ部２５は、ステータ保持部２１ｂのリア側（−Ｚ側）の端部から径方向外側に拡がる。フランジ部２４及びフランジ部２５は、互いに対向され、図示しない締結手段によって締結される。これにより、ハウジング２１内にモータ部２０及びポンプ部３０がシールして固定される。
【００２０】
ハウジング２１の材質としては、例えば、亜鉛−アルミニウム−マグネシウム系合金等を用いることができ、具体的には、溶融亜鉛−アルミニウム−マグネシウム合金めっき鋼板及び鋼帯を用いることができる。ハウジング２１は、金属製であるので、熱伝導率が大きく表面積が大きいため、放熱効果が高い。また、底面部２１ａには、ベアリング５５を保持するためのベアリング保持部５６が設けられる。
【００２１】
（ロ―タ４０）
ロータ４０は、ロータコア４３と、ロータマグネット４４と、を有する。ロータコア４３は、シャフト４１を軸周り（θ方向）に囲んで、シャフト４１に固定される。ロータマグネット４４は、ロータコア４３の軸周り（θ方向）に沿った外側面に固定される。ロータコア４３及びロータマグネット４４は、シャフト４１と共に回転する。
【００２２】
（ステータ５０）
ステータ５０は、ロータ４０を軸周り（θ方向）に囲み、ロータ４０を中心軸Ｊ周りに回転させる。ステータ５０は、コアバック部５１と、ティース部５２と、コイル５３と、ボビン（インシュレータ）５４と、を有する。
【００２３】
コアバック部５１の形状は、シャフト４１と同心の円筒状である。ティース部５２は、コアバック部５１の内側面からシャフト４１に向かって延びる。ティース部５２は、複数設けられ、コアバック部５１の内側面の周方向に均等な間隔で配置される。コイル５３は、ボビン（インシュレータ）５４の周囲に設けられ、導電線５３ａが巻回されてなる。ボビン（インシュレータ）５４は、各ティース部５２に装着される。
【００２４】
（ベアリング５５）
ベアリング５５は、ロ―タ４０及びステータ５０のリア側（−Ｚ側）に配置され、ベアリング保持部５６に保持される。ベアリング５５は、シャフト４１を支持する。ベアリング５５の形状、構造等は、特に限定されず、いかなる公知のベアリングも用いることができる。
【００２５】
＜ポンプ部３０＞
ポンプ部３０は、モータ部２０の軸方向一方側、詳細にはフロント側（＋Ｚ軸側）に位置する。ポンプ部３０は、モータ部２０によってシャフト４１を介して駆動される。ポンプ部３０は、密閉された空間の容積が拡大及び縮小されることでオイルを吐出する容積型ポンプである。本実施形態では、容積型ポンプとしてトロコイドポンプが用いられる。ポンプ部３０は、ポンプロータ３５と、ポンプボディ３１と、ポンプカバー３２と、を有する。以下、ポンプカバー３２及びポンプボディ３１をポンプケース３３と記す。
【００２６】
（ポンプボディ３１）
ポンプボディ３１は、モータ部２０のフロント側においてハウジング２１のフロント側端部に固定される。ポンプボディ３１は、フロント側（＋Ｚ側）に開口してリア側（−Ｚ側）に窪んでポンプロータ３５を収容するポンプ室３４を有する。ポンプボディ３１は、金属製であり、ポンプ室３４の軸方向から視た形状は、円形状である。ポンプボディ３１は、金属製であるので、熱伝導率が大きく表面積が大きいため、放熱効果が高い。
【００２７】
ポンプボディ３１は、軸方向両端が開口してシャフト４１が通され、フロント側の開口がポンプ室３４に開口する貫通孔３１ｃを有する。貫通孔３１ｃのリア側の開口は、モータ部２０側に開口する。貫通孔３１ｃは、シャフト４１を回転可能に支持する軸受部材として機能する。
【００２８】
（ポンプロータ３５）
ポンプロータ３５は、シャフト４１に取り付けられる。より詳細には、ポンプロータ３５は、シャフト４１のフロント側の端部に取り付けられる。ポンプロータ３５は、シャフト４１に取り付けられるインナーロータ３５ａと、インナーロータ３５ａの径方向外側を囲むアウターロータ３５ｂと、を有する。インナーロータ３５ａは、円環状である。インナーロータ３５ａは、径方向外側面に歯を有する歯車である。
【００２９】
インナーロータ３５ａは、シャフト４１に固定される。より詳細には、インナーロータ３５ａの内側にシャフト４１のフロント側の端部が圧入される。インナーロータ３５ａは、シャフト４１と共に軸周り（θ方向）に回転する。アウターロータ３５ｂは、インナーロータ３５ａの径方向外側を囲む円環状である。アウターロータ３５ｂは、径方向内側面に歯を有する歯車である。
【００３０】
インナーロータ３５ａとアウターロータ３５ｂとは互いに噛み合い、インナーロータ３５ａが回転することでアウターロータ３５ｂが回転する。すなわち、シャフト４１の回転によりポンプロータ３５は回転する。言い換えると、モータ部２０とポンプ部３０とは同一の回転軸を有する。これにより、電動オイルポンプが軸方向に大型化することを抑制できる。また、インナーロータ３５ａとアウターロータ３５ｂとが回転することで、インナーロータ３５ａとアウターロータ３５ｂの噛み合わせ部分の間の容積が変化する。容積が減少する領域が加圧領域Ａｐとなり、容積が増加する領域が負圧領域Ａｄとなる。ポンプロータ３５の負圧領域Ａｄの軸方向一方側には、ポンプ側吸入口３２ａが配置される。また、ポンプロータ３５の加圧領域Ａｐの軸方向一方側には、ポンプ側吐出口３２ｂが配置される。ここで、ポンプ側吸入口３２ａからポンプ室３４内に吸入されるオイルは、インナーロータ３５ａとアウターロータ３５ｂの間の容積部分に収容され、ポンプ側吐出口３２ｂ側に送られる。その後、オイルは、ポンプ側吐出口３２ｂから吐出される。
【００３１】
（インバータ回路６５）
インバータ回路６５は、回路基板６１に発熱素子６２を実装したものであり、モータ部２０のステータ５０のコイル５３に駆動のための電力を供給すると共に、モータ部２０の駆動、回転、停止等の動作を制御する。なお、インバータ回路６５とステータ５０のコイル５３との間の電力供給及び電気信号による通信は、図示しない被覆ケーブル等の配線部材を用いて、インバータ回路６５とコイル５３との間を電気的に接続することによって行われる。
【００３２】
回路基板６１は、モータ駆動信号を出力する。本実施形態では、回路基板６１は、詳細は後述するが、ポンプカバー３２の表面に絶縁を確保した上で直接配置される。回路基板６１の表面には、図示しないプリント配線が設けられている。また、回路基板６１として、銅インレイ基板を用いることにより、発熱素子６２で発生した熱をポンプカバー３２により伝え易くなり、冷却効率が向上する。
【００３３】
発熱素子６２は、回路基板６１のフロント側（＋Ｚ側）の面に実装される。発熱素子６２は、例えば、コンデンサ、マイコン、パワーＩＣ、電界効果トランジスタ（ＦＥＴ）等である。また、発熱素子６２は２つに限られず、１つであっても、３つ以上であっても良い。
【００３４】
（インバータカバー６３）
インバータカバー６３は、ポンプカバー３２の表面に設けられ、回路基板６１及び発熱素子６２を覆う。インバータカバー６３は、天板部６３ａと、鍔部６３ｂと、を有する。
【００３５】
天板部６３ａは、発熱素子６２の頂面に接して軸方向及びＹ軸方向に延びる。鍔部６３ｂは、天板部６３ａの外縁から突出する。鍔部６３ｂの裏側の端面は、後述するポンプカバー３２のカバー延長部３２ｃの表面と接触する。インバータ回路６５の発熱素子６２がインバータカバー６３の天板部６３ａと直接接触することにより、発熱素子６２で生じた発熱をインバータカバー６３から放熱することができる。
【００３６】
インバータカバー６３の鍔部６３ｂとポンプカバー３２とをボルト及びナット等の締結手段６４によって締結することで、インバータカバー６３がポンプカバー３２に固定される。
【００３７】
次に、本実施形態に係るポンプ装置１が有するインバータ回路６５の温度上昇抑制構造について説明する。本実施形態では、ポンプカバー３２が有するカバー延長部３２ｃによってインバータ回路６５から発生する熱を放熱することでインバータ回路６５の温度上昇を抑制することを実現する。
【００３８】
ポンプカバー３２は、ポンプボディ３１のフロント側に取り付けられる。ポンプカバー３２は、金属製であり熱伝導率が大きく表面積が大きいため、放熱効果が高い。ポンプカバー３２は、図２に示すように、板状のカバー本体部３２ｄを有する。図示した実施形態では、カバー本体部３２ｄは、一方側が半円形状を有し、他方側が四角形状を有している。カバー本体部３２ｄは、ポンプ室３４のフロント側の開口を閉塞する。
【００３９】
ポンプカバー３２は、図１及び図２に示すように、ポンプカバー３２の径方向外側縁部３２ｅからハウジング２１の側壁２１ｅの外側へ延びるカバー延長部３２ｃを有する。図示した実施形態では、カバー延長部３２ｃは、カバー本体部３２ｄの他方側縁部からハウジング２１のステータ保持部２１ｂ及びポンプボディ保持部２１ｃに沿ってモータ部２０の軸方向他方側（リア側）へ延びる。即ち、ポンプカバー３２は、カバー本体部３２ｄとカバー延長部３２ｃとを有する。このため、カバー延長部３２ｃは、表面積が大きく、金属製であり熱伝導率が大きい。したがって、カバー延長部３２ｃによって、放熱効果をより高めることができる。
【００４０】
図１及び図２に示す実施形態では、カバー延長部３２ｃは板状に延びる。カバー延長部３２ｃは、側面視において、長方形状を有し、ポンプ部３０のフロント側端からモータ部２０のリア側端の手前側に延びる。カバー延長部３２ｃは、ポンプ部３０のポンプボディ３１及びモータ部２０のハウジング２１に対して隙間３７を有して延びる。即ち、カバー延長部３２ｃは、ポンプボディ３１及びハウジング２１に対して非接触である。カバー延長部３２ｃ上にインバータ回路６５が接触して設けられる。
【００４１】
したがって、インバータ回路６５から発生した熱は、カバー延長部３２ｃ及びカバー本体部３２ｄに伝熱して放熱される。ここで、カバー延長部３２ｃは、ポンプ装置１のフロント側からリア側へ延びるため、ポンプカバー３２全体の表面積を増大させる。このため、インバータ回路６５から発生した熱は、カバー延長部３２ｃを介して効率的に放熱される。従って、インバータ回路６５の温度上昇を抑制することができる。また、カバー延長部３２ｃは、ハウジング２１に沿って延びるので、カバー延長部３２ｃはハウジング２１に近接配置が可能となり、ポンプ装置１の大型化が抑制できる。
【００４２】
また、ポンプ部３０は、ポンプロータ３５の回転に伴ってポンプ側吸入口３２ａから吸引されたオイルがポンプ室３４内を通ってポンプ側吐出口３２ｂへ流れる。このため、カバー延長部３２ｃ及びカバー本体部３２ｄに伝熱された熱は、ポンプ部３０内を流れるオイルの温度がインバータ回路６５から発生した熱よりも低い場合には、オイルによって吸収される。このため、インバータ回路６５から発生した熱は、ポンプ部３０内を流通するオイルを介してさらに効率的に放熱される。従って、インバータ回路６５の温度上昇をより抑制することができる。
【００４３】
なお、前述した実施形態では、インバータ回路６５がカバー延長部３２ｃに設けられる場合を示したが、これに限るものではない。インバータ回路６５は、図１の二点鎖線で示すように、カバー本体部３２ｄ上に接触して設けられてもよい。この場合、インバータ回路６５は、ポンプ側吸入口３２ａ及びポンプ側吐出口３２ｂを避けた位置に配置される。この場合、カバー本体部３２ｄは、金属製であり熱伝導率が大きく表面積が大きいため、インバータ回路６５から発生した熱は、カバー本体部３２ｄ及びカバー延長部３２ｃを介して効率的に放熱される。また、インバータ回路６５から発生した熱は、ポンプ部３０内を流通するオイルを介してさらに効率的に放熱される。従って、インバータ回路６５の温度上昇が抑制できる。
【００４４】
また、図１に示すように、カバー延長部３２ｃは、ハウジング２１及びステータ５０と軸方向に重なる領域Ａ１を有している。また、ハウジング２１は、金属製であり熱伝導率が大きく表面積が大きい。このため、ステータ５０から発生した熱は、ハウジング２１を介して放熱されるとともに、隙間３７を介してカバー延長部３２ｃに伝熱されてカバー延長部３２ｃから放熱される。よって、インバータ回路６５から発生した熱及びステータ５０から発生した熱は、カバー延長部３２ｃ及びハウジング２１を介して効率的に放熱される。また、インバータ回路６５から発生した熱及びステータ５０から発生した熱は、ポンプ部３０内を流通するオイルを介してさらに効率的に放熱される。よって、インバータ回路６５の温度上昇を抑制することができる。
【００４５】
[第１実施形態の変形例]
図３は、第１実施形態の変形例に係るポンプ装置の断面図である。図３に示すポンプ装置１では、モータ部２０のハウジング２１が、ポンプ部３０のポンプボディ３１の軸方向他方側端部に接触して接続される。また、モータ部２０のベアリング保持部５６は、ハウジング２１の軸方向他方側端部内に嵌合して設けられる。
【００４６】
また、図１では、カバー延長部３２ｃは、ハウジング２１に対して隙間３７を有して配置されているが、図３に示すように、カバー延長部３２ｃはハウジング２１に接触して配置される。この場合、カバー延長部３２ｃは板状であり、ポンプボディ３１及びハウジング２１は円筒状であるので、カバー延長部３２ｃは、ポンプボディ３１及びハウジング２１に対して直線状に接触する。本実施形態では、カバー延長部３２ｃは、ポンプボディ３１及びハウジング２１に対して線接触する。なお、カバー延長部３２ｃは、ポンプボディ３１及びハウジング２１に対して面接触するようにしてもよい。
【００４７】
このように、ハウジング２１とカバー延長部３２ｃはともに金属製であるので、ハウジング２１及びカバー延長部３２ｃを接触させることで、両者間の熱伝達効率を上げることができる。したがって、モータ部２０の温度上昇がさらに抑制されるので、カバー延長部３２ｃを介してインバータ回路６５の熱をより効率的に放熱することができる。また、インバータ回路６５から発生した熱は、ポンプ部３０内を流通するオイルを介してさらに効率的に放熱される。よって、インバータ回路６５の温度上昇をさらに抑制することができる。
【００４８】
また、インバータ回路６５は、図３に示すように、放熱部材７０を介してカバー延長部３２ｃ上に接触して設けられてもよい。放熱部材７０は、シリコーンゴム等の熱伝導率の高い熱硬化性樹脂、放熱シート、放熱グリース等である。インバータ回路６５とカバー延長部３２ｃとの間に放熱部材７０を設けることで、カバー延長部３２ｃに対するインバータ回路６５の接触面積が増大する。このため、インバータ回路６５から発生した熱をより効率的にカバー延長部３２ｃに伝熱することができる。
【００４９】
[第２実施形態]
図４は、第２実施形態に係るポンプ装置の断面図である。第２実施形態では、前述した第１実施形態の変形例（図３）との相違点のみについて説明し、第１実施形態の変形例と同一態様部分については同一符号を附してその説明を省略する。
【００５０】
図４に示すように、第２実施形態に係るポンプ装置２のポンプ部３０は、ポンプボディ３１の径方向外側縁部３１ｇからハウジング２１の側壁２１ｅの外側に沿って延びるボディ延長部３１ｄを有する。
【００５１】
図４に示す実施形態では、ボディ延長部３１ｄは、ポンプボディ３１の径方向外側縁部３１ｇからハウジング２１の側壁２１ｅに沿ってモータ部２０の軸方向他方側（リア側）へ延びる。ボディ延長部３１ｄは、板状であり、側面視において、長方形状を有する。ボディ延長部３１ｄは、金属製であり熱伝導率が大きく表面積が大きい。ボディ延長部３１ｄは、モータ部２０のハウジング２１に対して隙間３８を有して延びる。即ち、ボディ延長部３１ｄは、ハウジング２１に対して非接触である。
【００５２】
インバータ回路６５は、ボディ延長部３１ｄに熱的に接触して設けられる。図示した実施形態では、インバータ回路６５は、ボディ延長部３１ｄに接触して設けられる。
【００５３】
したがって、インバータ回路６５から発生した熱は、ボディ延長部３１ｄ及びボディ本体部３１ｅに伝わって放熱される。また、ステータ５０から発生した熱も、ハウジング２１及びボディ延長部３１ｄに伝熱して放熱される。ここで、ボディ延長部３１ｄは、ポンプ装置２のフロント側からリア側へ延びる板状であるため、ポンプ部３０全体の表面積を増大させる。このため、インバータ回路６５から発生した熱は、ボディ延長部３１ｄを介して効率的に放熱される。従って、インバータ回路６５の温度上昇が抑制できる。
【００５４】
また、ボディ延長部３１ｄ及びボディ本体部３１ｅに伝熱された熱は、ポンプ部３０内を流れるオイルの温度が熱よりも低い場合には、オイルによって吸収される。このため、インバータ回路６５から発生した熱は、ポンプ部３０内を流通するオイルを介してさらに効率的に放熱される。従って、インバータ回路６５の温度上昇をより抑制することができる。
【００５５】
なお、前述した実施形態では、インバータ回路６５がボディ延長部３１ｄに設けられた場合を示したが、これに限るものではない。インバータ回路６５は、図４の二点鎖線で示すように、インバータ回路６５をポンプボディ３１のボディ本体部３１ｅの側面に接触して設けられてもよい。この場合、ボディ本体部３１ｅ及びボディ延長部３１ｄは金属製であるので、熱伝導率が大きく表面積が大きい。このため、インバータ回路６５から発生した熱は、ボディ本体部３１ｅ及びボディ延長部３１ｄに伝わって効率的に放熱される。また、ポンプ部３０内を流れるオイルの温度が熱よりも低い場合には、オイルによって吸収される。このため、インバータ回路６５から発生した熱は、ポンプ部３０内を流通するオイルを介してさらに効率的に放熱される。
【００５６】
また、図示した実施形態では、ボディ延長部３１ｄは、ハウジング２１及びステータ５０と軸方向に重なる領域Ａ２を有している。ここで、ハウジング２１は金属製であり熱伝導率が大きいので、ステータ５０から発生した熱は、ハウジング２１を介して放熱されるとともに、隙間３８を介してボディ延長部３１ｄに伝熱される。なお、隙間３８間の伝熱は、空気の対流によってステータ５０から発生した熱がボディ延長部３１ｄに伝熱される。このため、ステータ５０から発生した熱はボディ延長部３１ｄを介して放熱することができる。したがって、モータ部２０の温度上昇が抑えられて、ボディ延長部３１ｄを介するインバータ回路６５の熱の放熱が促進される。よって、インバータ回路６５の温度上昇が抑制できる。
【００５７】
（第２実施形態の変形例）
図４では、ボディ延長部３１ｄは、ハウジング２１に対して隙間３８を有して配置されているが、図５に示すように、ハウジング２１に接触して配置されてもよい。この場合には、ボディ延長部３１ｄは板状であり、ハウジング２１は円筒状であるので、ボディ延長部３１ｄは、ハウジング２１に線接触する。なお、ボディ延長部３１ｄは、ハウジング２１に対して面接触するようにしてもよい。したがって、ステータ５０から発生した熱は、ハウジング２１からボディ延長部３１ｄに効率的に伝熱される。このため、モータ部２０の温度上昇がより抑えられて、ボディ延長部３１ｄを介するインバータ回路６５の熱の放熱が促進される。よって、インバータ回路６５の温度上昇が抑制できる。
【００５８】
また、図４に示す実施形態では、インバータ回路６５は、ボディ延長部３１ｄ又はボディ本体部３１ｅに直接に接触して設けられた場合を示したが、図５に示すように、インバータ回路６５が放熱部材７０を介してボディ延長部３１ｄ又はボディ本体部３１ｅに接触して設けられてもよい。
【００５９】
インバータ回路６５が放熱部材７０を介してボディ本体部３１ｅ又はボディ延長部３１ｄに設けられることで、インバータ回路６５とボディ本体部３１ｅ又はボディ延長部３１ｄとの接触面積を増大させることができる。このため、インバータ回路６５から発生する熱をより効率的にボディ本体部３１ｅ又はボディ延長部３１ｄに伝熱することができる。
【００６０】
[第３実施形態]
図６は、第３実施形態に係るポンプ装置３の断面図である。
【００６１】
第３実施形態では、前述した第１実施形態の変形例（図３参照）との相違点のみについて説明し、第１実施形態の変形例と同一態様部分については同一符号を附してその説明を省略する。第３実施形態では、ポンプ部３０及びモータ部２０には一定温度（例えば、１２０℃）以下のオイルが流れるため、インバータ回路６５から発生する熱をオイルを介して放熱することで、インバータ回路６５の温度上昇を抑制することを実現する。
【００６２】
図６に示す実施形態では、ポンプボディ３１には、ポンプ室３４とモータ部２０内とを繋ぐ送出孔３１ｆが設けられる。この送出孔３１ｆのポンプ部側の開口は、ポンプロータ３５の加圧領域Ａｐに位置する。このため、ポンプ部３０で吸引されたオイルは送出孔３１ｆを介してモータ部２０内に送出される。なお、ポンプカバー３２には、図３に示すポンプ側吐出口３２ｂが設けられていない。
【００６３】
また、ハウジング２１のリア側端部に嵌合するベアリング保持部５６には、モータ部２０内に送出されたオイルを吐出可能なモータ側吐出口５６ａが設けられる。モータ側吐出口５６ａは、ベアリング保持部５６を貫通する貫通孔５６ｂの軸方向他方側端に開口する。また、ステータ５０の内周面５０ａとロータ４０の外周面４０ａとの間には、オイルが流通可能な冷却流路２７が設けられる。さらに、ハウジング２１内のフロント側には、送出孔３１ｆから送出されたオイルを貯留可能なフロント側の空間部３６が設けられる。また、ハウジング２１内のリア側には、冷却流路２７から送出されたオイルを貯留可能なリア側の空間部３９が設けられる。このため、リア側の空間部３９と貫通孔５６ｂとは連通し、モータ部２０内のオイルは貫通孔５６ｂを通ってモータ側吐出口５６ａから吐出可能である。ここで、モータ部２０内のオイルをモータ側吐出口５６ａより吐出する流路を第２流路５８と記す。
【００６４】
一方、ポンプ部３０は、ポンプロータ３５の回転に伴ってポンプ側吸入口３２ａから吸引されたオイルがポンプ室３４内を通って送出孔３１ｆへ流れるポンプ流路４６を有する。また、ポンプ部３０及びモータ部２０には一定温度（例えば、１２０℃）以下のオイルが流れる。
【００６５】
図６に示す実施形態では、インバータ回路６５は、カバー延長部３２ｃとポンプ流路４６に対してモータ部２０の軸方向において重なる領域に配置される。
【００６６】
この場合、ポンプ装置３が駆動すると、ポンプ部３０のポンプ側吸入口３２ａから吸引されたオイルは、ポンプ流路４６を流れて送出孔３１ｆを通ってモータ部２０内のフロント側の空間部３６に送出される。ここで、送出孔３１ｆにオイルが流れる流路を第１流路４７と記す。フロント側の空間部３６に送出されたオイルは冷却流路２７を流れてリア側の空間部３９に送出されて、モータ側吐出口５６ａから排出される。オイルがポンプ流路４６を流れる際には、オイルの温度は一定温度（例えば、１２０℃）以下であるので、インバータ回路６５から発生した熱の温度がオイルの温度よりも高い場合には、オイルがインバータ回路６５から発生した熱を吸収してインバータ回路６５を冷却する。また、インバータ回路６５から発生した熱は、カバー本体部３２ｄ及びカバー延長部３２ｃを介して放熱される。このため、インバータ回路６５から発生した熱は、ポンプ流路４６を流れるオイル及びカバー延長部３２ｃにより効率的に吸収される。したがって、インバータ回路６５の温度上昇がより抑制できる。
【００６７】
また、インバータ回路６５は、カバー延長部３２ｃと冷却流路２７に対してモータ部２０の軸方向において重なる領域に配置されてもよい。図示した実施形態では、インバータ回路６５は、カバー延長部３２ｃのリア側へ配置される。
【００６８】
この場合、ポンプ装置１が駆動してポンプ流路４６を流れるオイルが送出孔３１ｆを介してフロント側の空間部３６に送出されると、フロント側の空間部３６に送出されたオイルは冷却流路２７を流れてリア側の空間部３９に送出される。ここで、オイルが冷却流路２７を流れる際には、オイルがステータ５０から発生した熱を吸収してステータ５０を冷却するとともに、インバータ回路６５から発生した熱を吸収して冷却する。また、インバータ回路６５から発生した熱は、カバー延長部３２ｃを介して放熱される。このため、インバータ回路６５から発生した熱は、カバー延長部３２ｃからの放熱とオイルへの吸収によってより効率的に吸収される。したがって、インバータ回路６５の温度上昇が抑制できる。
【００６９】
また、インバータ回路６５は、カバー延長部３２ｃとポンプ流路４６と冷却流路２７に対してモータ部２０の軸方向において重なる領域に配置されてもよい。図示した実施形態では、インバータ回路６５は、ポンプ部３０とモータ部２０に跨ってカバー延長部３２ｃに配置される。
【００７０】
この場合、ポンプ装置１が駆動すると、ポンプ部３０のポンプ側吸入口３２ａから吸引されたオイルは、ポンプ流路４６を流れて送出孔３１ｆを介してモータ部２０内に送出されて冷却流路２７を流れる。ここで、オイルがポンプ流路４６を流れる際には、オイルがインバータ回路６５から発生した熱を吸収してインバータ回路６５を冷却する。また、インバータ回路６５から発生した熱は、カバー本体部３２ｄ及びカバー延長部３２ｃを介して放熱される。また、オイルが冷却流路２７を流れる際には、オイルがステータ５０から発生した熱を吸収するとともに、インバータ回路６５から発生した熱を吸収する。また、インバータ回路６５から発生した熱及びステータ５０から発生した熱は、カバー延長部３２ｃを介して放熱される。このため、インバータ回路６５から発生した熱は、ポンプ部３０内及びモータ部２０内を流れるオイルの吸熱及びカバー延長部３２ｃからの放熱によって吸収される。したがって、インバータ回路６５の温度上昇がより抑制できる。
【００７１】
また、前述した実施形態では、送出孔３１ｆにオイルが流れる流路が第１流路４７である場合を示したが、第１流路４７は、ポンプボディ３１に設けられた貫通孔３１ｃに通されたシャフト４１と貫通孔３１ｃとの間の隙間４８を通る流路でもよい。この場合には、送出孔３１ｆは無くなり、ポンプロータ３５から供給されるオイルは、貫通孔３１ｃのポンプロータ３５側の開口から隙間４８内に流入して第１流路４７を流れてモータ部１０内（空間部３６）に流入する。第１流路４７が、シャフト４１と貫通孔３１ｃとの間の隙間４８とすることで、ポンプボディ３１の構造がより簡素化され、ポンプ部３０の製造工程及び製造コストの増大を抑制することができる。
【００７２】
なお、第１流路４７は、シャフト４１と貫通孔３１ｃとの間の隙間４８である。このため、シャフト４１が貫通孔３１ｃ内に設けられたベアリングを介して支持される場合には、第１流路４７は、ベアリングの中でもよく、またベアリングとシャフト４１との間の隙間でもよい。
【００７３】
また、前述した実施形態では、第２流路５８はモータ部１０内のオイルをモータ側吐出口５６ａより吐出する流路である場合を示したが、第２流路５８は、ベアリング保持部５６に設けられた軸受部材に通されたシャフト４１と軸受部材との間の隙間を通る流路でもよい。図６に示した実施形態では、軸受部材はベアリング５５である。この場合には、貫通孔５６ｂ及びモータ側吐出口５６ａは無くなり、モータ部２０のロータ４０とステータ５０の間の冷却流路２７を流れるオイルは、空間部３９に流入した後に、シャフト４１とベアリング５５との間の隙間５９、即ち、第２流路５８を流れる。このため、第２流路５８が、シャフト４１とベアリング５５との間の隙間５９とする場合には、モータ側吐出口５６ａが不要になるので、モータ部２０の構造がより簡素化され、モータ部２０の製造工程及び製造コストの増大を抑制することができる。
【００７４】
（第４実施形態）
図７は、第４実施形態に係るポンプ装置の断面図である。
【００７５】
第４実施形態では、前述した第２実施形態の変形例（図５参照）との相違点のみについて説明し、第２実施形態の変形例と同一態様部分については同一符号を附してその説明を省略する。
【００７６】
図７に示す実施形態では、ポンプボディ３１には、ポンプ室３４とモータ部２０内とを繋ぐ送出孔３１ｆが設けられる。この送出孔３１ｆのポンプ部側の開口は、ポンプロータ３５の加圧領域Ａｐに位置する。このため、ポンプ部３０で吸引されたオイルは送出孔３１ｆを介してモータ部２０内に送出される。なお、ポンプカバー３２には、図５に示すポンプ側吐出口３２ｂが設けられていない。
【００７７】
また、ハウジング２１のリア側端部に嵌合するベアリング保持部５６には、モータ部２０内に送出されたオイルを吐出可能な貫通孔５６ｂが設けられる。貫通孔５６ｂの軸方向他方側端にモータ側吐出口５６ａが開口する。また、ステータ５０の内周面５０ａとロータ４０の外周面４０ａとの間には、オイルが流通可能な冷却流路２７が設けられる。また、ハウジング２１内のフロント側には、送出孔３１ｆから送出されたオイルを貯留可能なフロント側の空間部３６が設けられる。また、ハウジング２１内のリア側には、冷却流路２７から送出されたオイルを貯留可能なリア側の空間部３９が設けられる。リア側の空間部３９とモータ側吐出口５６ａとは繋がる。ここで、送出孔３１ｆをオイルが流れる流路が第１流路４７と記す。また、モータ部２０内のオイルをモータ側吐出口５６ａより吐出する流路を第２流路５８と記す。
【００７８】
インバータ回路６５は、ボディ延長部３１ｄとポンプ流路４６に対してモータ部２０の軸方向において重なる領域に配置される。この場合、ポンプ装置４が駆動すると、ポンプ部３０のポンプ側吸入口３２ａから吸引されたオイルは、ポンプ流路４６を流れて送出孔３１ｆを通ってモータ部２０内の冷却流路２７を流れる。オイルがポンプ流路４６を流れる際には、インバータ回路６５から発生した熱は、ポンプボディ３１を介してポンプ流路４６を流れるオイルに吸収されて冷却される。また、インバータ回路６５から発生した熱は、ボディ本体部３１ｅ及びボディ延長部３１ｄを介して放熱される。このため、インバータ回路６５から発生した熱は、ポンプ流路４６を流れるオイル及びボディ延長部３１ｄを有したポンプボディ３１により効率的に吸収される。したがって、インバータ回路６５の温度上昇が抑制できる。
【００７９】
また、インバータ回路６５は、ボディ延長部３１ｄと冷却流路２７に対してモータ部２０の軸方向において重なる領域に配置されてもよい。この場合、ポンプ装置４が駆動すると、送出孔３１ｆを介してフロント側の空間部３６に送出されたオイルは、冷却流路２７を流れる。オイルが冷却流路２７を流れる際には、オイルがステータ５０から発生した熱を吸収してステータ５０を冷却するとともに、インバータ回路６５から発生した熱を吸収して冷却する。また、インバータ回路６５から発生した熱は、ボディ延長部３１ｄを有したポンプボディ３１を介して放熱される。このため、インバータ回路６５から発生した熱は、ボディ延長部３１ｄを有したポンプボディ３１からの放熱と冷却流路２７を流れるオイルの吸収によってより効率的に吸収される。したがって、インバータ回路６５の温度上昇がより抑制できる。
【００８０】
さらに、インバータ回路６５は、ボディ延長部３１ｄとポンプ流路４６と冷却流路２７に対してモータ部２０の軸方向において重なる領域に配置されてもよい。この場合、ポンプ装置１が駆動すると、ポンプ部３０のポンプ側吸入口３２ａから吸引されたオイルは、ポンプ流路４６を流れて送出孔３１ｆを通ってモータ部２０内に送出されて冷却流路２７を流れる。オイルがポンプ流路４６を流れる際には、オイルがインバータ回路６５から発生した熱を吸収してインバータ回路６５を冷却する。また、インバータ回路６５から発生した熱は、ボディ延長部３１ｄを有したポンプボディ３１を介して放熱される。また、オイルが冷却流路２７を流れる際には、オイルがステータ５０から発生した熱を吸収してステータ５０を冷却するとともに、インバータ回路６５から発生した熱を吸収して冷却する。また、インバータ回路６５から発生した熱は、ボディ延長部３１ｄを有したポンプボディ３１を介して放熱される。このため、インバータ回路６５から発生した熱は、ポンプ部３０及びモータ部２０内を流れるオイルの吸熱及びボディ延長部３１ｄを有したポンプボディ３１からの放熱によって吸収される。したがって、インバータ回路６５の温度上昇がより抑制できる。
【００８１】
なお、第４実施形態では、送出孔３１ｆをオイルが流れる流路が第１流路４７である場合を示したが、第１流路４７は、ポンプボディ３１に設けられた貫通孔３１ｃに通されたシャフト４１と貫通孔３１ｃとの間の隙間４８を通る流路でもよい。この場合の説明は、第３実施形態で説明したので省略する。
【００８２】
また、第４実施形態では、第２流路５８はモータ部１０内のオイルをモータ側吐出口５６ａより吐出する流路である場合を示したが、第２流路５８は、ベアリング保持部５６に設けられた軸受部材（ベアリング５５）に通されたシャフト４１と軸受部材との間の隙間を通る流路でもよい。この場合の説明は、第３実施形態で説明したので省略する。
【００８３】
（第３実施形態の変形例）
次に、第３実施形態に係るポンプ装置３（図６参照）の変形例について説明する。図８は、第３実施形態の変形例に係るポンプ装置３の断面図である。前述した第３実施形態では、インバータ回路６５について説明したが、インバータ回路６５に発熱素子６２を設け、発熱素子６２は、カバー延長部３２ｃとポンプ流路４６に対してモータ部２０の軸方向において重なる領域に配置される。
【００８４】
図８に示すように、発熱素子６２が設けられたインバータ回路６５がカバー延長部３２ｃ上に設けられる。発熱素子６２は、例えば、電解コンデンサ、シャント抵抗等である。この場合、発熱素子６２から発生した熱は、カバー延長部３２ｃを有したポンプボディ３１から放熱されるとともに、ポンプ部３０を流れるオイルによって吸収される。このため、発熱素子６２から発生した熱がより効率的に吸収される。よって、インバータ回路６５の温度上昇が抑制できる。
【００８５】
また、発熱素子６２は、図示した実施形態では、カバー延長部３２ｃと冷却流路２７に対してモータ部２０の軸方向において重なる領域に配置されてもよい。この場合には、発熱素子６２から発生した熱は、カバー延長部３２ｃを有したポンプボディ３１から放熱されるとともに、モータ部２０の冷却流路２７を流れるオイルによって吸収される。このため、発熱素子６２から発生した熱は、より効率的に吸収される。よって、インバータ回路６５の温度上昇が抑制できる。
【００８６】
また、発熱素子６２は、図示しないが、カバー延長部３２ｃとポンプ流路４６と冷却流路２７に対してモータ部２０の軸方向において重なる領域に配置されてもよい。この場合には、発熱素子６２から発生した熱は、カバー延長部３２ｃを有したポンプボディ３１から放熱されるとともに、ポンプ部３０のポンプ流路４６を流れるオイル及びモータ部２０の冷却流路２７を流れるオイルによって吸収される。このため、発熱素子６２から発生した熱はより効率的に吸収される。よって、インバータ回路６５の温度上昇がより抑制できる。
【００８７】
なお、第３実施形態で説明したように、第１流路４７は、ポンプボディ３１に設けられた貫通孔３１ｃに通されたシャフト４１と貫通孔３１ｃとの間の隙間４８を通る流路でもよい。この場合の説明は、第３実施形態で説明したので省略する。
【００８８】
また、第３実施形態で説明したように、第２流路５８は、ベアリング保持部５６に設けられた軸受部材（ベアリング５５）に通されたシャフト４１と軸受部材との間の隙間を通る流路でもよい。この場合の説明は、第３実施形態で説明したので省略する。
【００８９】
（第４実施形態の変形例）
次に、第４実施形態に係るポンプ装置４（図７参照）の変形例について説明する。図９は、第４実施形態の変形例に係るポンプ装置４の断面図である。前述した第４実施形態では、インバータ回路６５について説明したが、インバータ回路６５に発熱素子６２を設け、発熱素子６２は、ボディ延長部３１ｄとポンプ流路４６に対してモータ部２０の軸方向において重なる領域に配置されてもよい。
【００９０】
図９に示すように、発熱素子６２が設けられたインバータ回路６５がボディ延長部３１ｄ上に設けられる。発熱素子６２は、例えば、電解コンデンサ、シャント抵抗等である。この場合、発熱素子６２から発生した熱は、ボディ延長部３１ｄを有したポンプボディ３１から放熱されるとともに、ポンプ流路４６を流れるオイルによって吸収される。このため、発熱素子６２から発生した熱はより効率的に吸収される。よって、インバータ回路６５の温度上昇が抑制できる。
【００９１】
また、図示した実施形態では、発熱素子６２は、ボディ延長部３１ｄと冷却流路２７に対してモータ部２０の軸方向において重なる領域に配置されてもよい。この場合、発熱素子６２から発生した熱は、ボディ延長部３１ｄを有したポンプボディ３１から放熱されるとともに、モータ部２０の冷却流路２７を流れるオイルによって吸収される。このため、発熱素子６２から発生した熱はより効率的に吸収される。よって、インバータ回路６５の温度上昇が抑制できる。
【００９２】
なお、発熱素子６２は、図示しないが、カバー延長部３２ｃとポンプ流路４６と冷却流路２７に対してモータ部２０の軸方向において重なる領域に配置されてもよい。この場合、発熱素子６２から発生した熱は、カバー延長部３２ｃを有したポンプボディ３１から放熱されるとともに、ポンプ部３０のポンプ流路４６を流れるオイル及びモータ部２０の冷却流路２７を流れるオイルによって吸収される。このため、発熱素子６２から発生した熱は、より効率的に吸収される。よって、インバータ回路６５の温度上昇がより抑制できる。
【００９３】
なお、第４実施形態で説明したように、第１流路４７は、ポンプボディ３１に設けられた貫通孔３１ｃに通されたシャフト４１と貫通孔３１ｃとの間の隙間４８を通る流路でもよい。この場合の説明は、第４実施形態で説明したので省略する。
【００９４】
また、第４実施形態で説明したように、第２流路５８は、ベアリング保持部５６に設けられた軸受部材（ベアリング５５）に通されたシャフト４１と軸受部材との間の隙間を通る流路でもよい。この場合の説明は、第４実施形態で説明したので省略する。
【００９５】
以上、本発明の好ましい実施形態について説明したが、本発明は、これらの実施形態に限定されず、その要旨の範囲内で種々の変形および変更が可能である。
【符号の説明】
【００９６】
１、２、３、４  ポンプ装置
５  シャフト
２０  モータ部
２１  ハウジング
２１ｅ  側壁
２７  冷却流路
３０  ポンプ部
３１  ポンプボディ
３１ｃ、５６ｂ  貫通孔
３１ｄ  ボディ延長部
３１ｇ、３２ｅ  径方向外側縁部
３１ｈ  ポンプ側吐出口
３２  ポンプカバー
３２ｃ  カバー延長部
３５  ポンプロータ
４０  ロータ
４１  シャフト
４６  ポンプ流路
４７  第１流路
４８，５９  隙間
５０  ステータ
５８  第２流路
６２  発熱素子
６５  インバータ回路
７０  放熱部材
Ａ１、Ａ２  領域
Ｊ  中心軸
【図１】
2018159472.tif 000003
【図２】
2018159472.tif 000004
【図３】
2018159472.tif 000005
【図４】
2018159472.tif 000006
【図５】
2018159472.tif 000007
【図６】
2018159472.tif 000008
【図７】
2018159472.tif 000009
【図８】
2018159472.tif 000010
【図９】
2018159472.tif 000011
【国際調査報告】
2018159472.tif 000012
2018159472.tif 000013
2018159472.tif 000014
2018159472.tif 000015